(57)【特許請求の範囲】
【請求項１】
ユーザ機器を用いて、第１の無線アクセスネットワークとの通信から第２の無線アクセスネットワークとの通信へ切り替える段階と、
前記ユーザ機器のプロセッサを用いて、前記第１の無線アクセスネットワークとの複数のパケットサービスを開始すべく前記ユーザ機器のレジスタを設定する段階と、
前記第１の無線アクセスネットワークとの通信を少なくとも部分的に前記レジスタに基づいて再開すべく、前記ユーザ機器を用いて、前記第１の無線アクセスネットワークのコアネットワークノードに、要求を送信する段階とを備え、
前記第２の無線アクセスネットワークが、移動通信用グローバルシステム（ＧＳＭ（登録商標））無線アクセスネットワークの少なくとも１つであり、かつ前記切り替える段階がリリースリダイレクションであった、及びセルチェンジオーダの少なくとも１つである場合、複数のパケットサービスを開始すべく前記レジスタを設定する段階は実行されない、方法。
【請求項２】
前記レジスタは、前記第１の無線アクセスネットワークと再接続するための、前記ユーザ機器の識別子を提供する仮識別子レジスタである、請求項１に記載の方法。
【請求項３】
複数のパケットサービスを開始すべく前記レジスタを設定する段階は、無線アクセス技術に基づいた前記レジスタの初期設定に少なくとも部分的に基づいている、請求項２に記載の方法。
【請求項４】
前記ユーザ機器及び前記第１の無線アクセスネットワークは、前記無線アクセス技術に従って通信する、請求項３に記載の方法。
【請求項５】
前記レジスタ及びプロトコルに基づいて、前記要求を構成する段階を更に備える、請求項１から４の何れか一項に記載の方法。
【請求項６】
前記要求は、モバイルネットワークの地理的特性に少なくとも部分的に基づく、請求項１から５の何れか一項に記載の方法。
【請求項７】
前記モバイルネットワークの前記地理的特性は、前記モバイルネットワークのトラッキングエリアであり、
前記要求は、前記第１の無線アクセスネットワークを用いて、トラッキングエリア更新手順を実行する要求である、請求項６に記載の方法。
【請求項８】
前記第１の無線アクセスネットワークと、少なくとも部分的に前記要求に基づいて通信を再開する段階を更に備える、請求項１から７の何れか一項に記載の方法。
【請求項９】
前記第１の無線アクセスネットワークと通信を再開する段階は、少なくとも部分的に複数のパケットサービスに基づく、請求項８に記載の方法。
【請求項１０】
モバイルネットワーク用のユーザ機器であって、
第１の無線アクセスネットワーク及び第２の無線アクセスネットワークと通信を行う送受信器と、
レジスタと、
前記送受信器と前記レジスタとに結合されたプロセッサとを備え、
前記プロセッサは、前記送受信器を第１の無線アクセスネットワークとの通信から第２の無線アクセスネットワークとの通信に切り替え、前記第１の無線アクセスネットワークで複数のパケットサービスを開始するように前記レジスタを設定し、前記第１の無線アクセスネットワークとの通信を少なくとも部分的に前記レジスタに基づいて再開すべく、前記第１の無線アクセスネットワークのコアネットワークノードに要求を前記送受信器に送信させ、
前記第２の無線アクセスネットワークが移動通信用グローバルシステム（ＧＳＭ（登録商標））無線アクセスネットワークの少なくとも１つであり、かつ前記切り替えがリリースリダイレクションであった、及びセルチェンジオーダの少なくとも１つである場合、前記プロセッサは、複数のパケットサービスを開始すべく前記レジスタを設定しない、ユーザ機器。
【請求項１１】
前記レジスタは、前記第１の無線アクセスネットワークと再接続するための、前記ユーザ機器の識別子を提供する仮識別子レジスタである、請求項１０に記載のユーザ機器。
【請求項１２】
前記プロセッサは、無線アクセス技術に基づいた前記レジスタの初期設定に少なくとも部分的に基づいて、複数のパケットサービスを開始すべく前記レジスタを設定する、請求項１１に記載のユーザ機器。
【請求項１３】
前記送受信器及び前記第１の無線アクセスネットワークは、前記無線アクセス技術に従って通信する、請求項１２に記載のユーザ機器。
【請求項１４】
前記プロセッサは、前記レジスタとプロトコルとに基づいて、更に前記要求を構成する、請求項１０から１３の何れか一項に記載のユーザ機器。
【請求項１５】
前記要求は、モバイルネットワークの地理的特性に少なくとも部分的に基づく、請求項１０から１４の何れか一項に記載のユーザ機器。
【請求項１６】
前記モバイルネットワークの前記地理的特性は、前記モバイルネットワークのトラッキングエリアであり、
前記要求は、前記第１の無線アクセスネットワークで、トラッキングエリア更新手順を実行する要求である、請求項１５に記載のユーザ機器。
【請求項１７】
前記プロセッサは、更に、少なくとも部分的に前記要求に基づいて、前記送受信器に前記第１の無線アクセスネットワークとの通信を再開させる、請求項１０から１６の何れか一項に記載のユーザ機器。
【請求項１８】
前記プロセッサは、少なくとも部分的に複数のパケットサービスに基づいて、前記送受信器に前記第１の無線アクセスネットワークとの通信を再開させる、請求項１７に記載のユーザ機器。
【発明の詳細な説明】
【技術分野】
【０００１】
［優先権］
本願は、２０１３年６月２８日に出願された米国仮特許出願第６１／８４１，２３０の優先権に関する便益を主張する、２０１３年１２月２６日に出願された米国出願第１４／１４１，０６７号の優先権に関する便益を主張するものであり、両方ともこれらの全体の参照により本明細書に組み込まれる。
【０００２】
本明細書の本開示は、概して、モバイルネットワークでの複数のパケットサービスを再開するための、複数のデバイス、複数のシステム、及び／又は複数の方法に関する。
【背景技術】
【０００３】
第３世代パートナーシッププロジェクト（３ＧＰＰ）に従うなどの従来の公衆モバイルネットワーク（ＰＬＭＮ）では、汎用パケット無線サブシステム進化型無線アクセスネットワーク（ＧＥＲＡＮ）、ユニバーサル移動通信システム地上波無線アクセスネットワーク（ＵＴＲＡＮ）、及び進化型ＵＴＲＡＮ（Ｅ−ＵＴＲＡＮ）など様々な無線アクセスネットワーク（ＲＡＮ）が共通のコアネットワークに接続され、様々な異なるサービスを提供し得る。例えば、ＧＥＲＡＮ又はＵＴＲＡＮは、音声サービスを専ら又は部分的に提供し得る。一方、Ｅ−ＵＴＲＡＮは、専ら又は部分的にの何れかで複数のパケットサービスを提供し得る。
【図面の簡単な説明】
【０００４】
【図１】例示的実施形態における、モバイルネットワークのブロック図である。
【０００５】
【図２】例示的実施形態における、回線交換フォールバック用のモバイルネットワークアーキテクチャのブロック図である。
【０００６】
【図３】例示的実施形態における、ＭＭＥを介したデータパケットの再開を示すデータフローである。
【０００７】
【図４】例示的実施形態における、イントラＳＧＳＮの通信用の中断及び再開手順を示すデータフローである。
【０００８】
【図５】例示的実施形態における、ＧＥＲＡＮセル及びＵＴＲＡＮセルの両方を扱う２Ｇ／３Ｇ複合ＳＧＳＮ用のデータフローである。
【０００９】
【図６】例示的実施形態における、ＧＥＲＡＮセル及びＵＴＲＡＮセルのそれぞれを扱う、２Ｇ専用ＳＧＳＮ及び３Ｇ専用ＳＧＳＮのためのメッセージフローである。
【００１０】
【図７】例示的実施形態における、無線アクセス技術情報を格納するためのフローチャートである。
【００１１】
【図８】いくつかの例示的実施形態に従った、機械の複数の構成要素を示すブロック図である。
【発明を実施するための形態】
【００１２】
以下の説明及び複数の図面は、当業者が特定の複数の実施形態を実施することを可能にするように、複数の実施形態を十分に示す。他の複数の実施形態は、構造的変更、論理的変更、電気的変更、プロセス的変更、及び、他の複数の変更を組み込んでもよい。いくつかの実施形態の複数の部分及び特徴が、他の複数の実施形態の複数の部分及び特徴に含まれてもよいし、又は、それらに代用されてもよい。特許請求の範囲に記述された複数の実施形態は、これらの請求項の全ての利用可能な均等物を包含する。
【００１３】
図１は、例示的実施形態における、モバイルネットワーク１００のブロック図である。様々な例において、モバイルネットワーク１００は、限定はされないが、ＧＥＲＡＮ、ＵＴＲＡＮ、及び／又はＥ−ＵＴＲＡＮをサポートする進化型パケットコアネットワークである。様々な構成要素は示されるような特定の要素であってもよいが、当該構成要素は、様々な関連モバイルネットワーク及びモバイルネットワーク環境用の類似又は適切な構成要素と置き換えられてもよいことは、理解されるべきである。
【００１４】
ユーザ機器１０２（述べたように移動局（ＭＳ）とも称される）は、無線インタフェース１０４（例えば、ロングタームエボリューション（ＬＴＥ−Ｕｕ））を介してＥ−ＵＴＲＡＮシステム１０６に通信可能に結合される。Ｅ−ＵＴＲＡＮ１０６は、Ｓ１−ＭＭＥ（モビリティマネジメントエンティティ）リンク１０８を介してＭＭＥ１１０に、及びＳｌ−Ｕリンク１１２を介してサービングゲートウェイ１１４に通信可能に結合され得る。ＭＭＥ１１０は、Ｓ１１リンク１１５を介してサービングゲートウェイ１１４に直接接続され、及びＳ３リンク１１６を介してサービング汎用パケット無線サブシステムサポートノード（ＳＧＳＮ）１１８に接続され得る。ＳＧＳＮ自体は、Ｓ４リンク１２０を介してサービングゲートウェイ１１４に接続される。ＭＭＥ１１０は、内部のＳ１０リンク１２２、及び高速シリアル（ＨＳＳ）インタフェースノード１２６へのＳ６ａリンク１２４を含み得る。
【００１５】
サービングゲートウェイ１１４は、Ｓ１２リンク１２８を介して１又は複数のＵＴＲＡＮ１３０及びＧＥＲＡＮ１３２ネットワークに接続され得る。サービングゲートウェイ１１４は、Ｓ５リンク１３４を介して公衆データネットワーク（ＰＤＮ）ゲートウェイ１３６に更に接続され得る。ＰＤＮゲートウェイ１３６は、リンク１３８を介してポリシ／課金ルール機能（ｐｏｌｉｃｙ  ａｎｄ  ｃｈａｒｇｉｎｇ  ｒｕｌｅｓ  ｆｕｎｃｔｉｏｎ）（ＰＣＲＦ）ノード１４０に、及びＳＧｉリンク１４２を介してＩＰマルチメディアサブシステム（ＩＭＳ）などオペレータのＩＰサービス１４４に接続され得る。ＰＣＲＦノード１４０は、リンク１４６を介してオペレータのＩＰサービス１４４に接続され得る。
【００１６】
図２は、例示的実施形態における、回線交換フォールバック用のモバイルネットワークアーキテクチャ２００のブロック図である。アーキテクチャ２００は、モバイルネットワーク１００、又は任意の適切なモバイルネットワークに対して動作し得る。
【００１７】
ＵＥ１０２は、ＵＴＲＡＮセル２０２、ＧＥＲＡＮセル２０４、及びＥ−ＵＴＲＡＮセル２０６に通信可能に結合される、又はそれらに結合可能である。ＵＴＲＡＮセル２０２及びＧＥＲＡＮセル２０４は、ＳＧＳＮ１１８及び移動通信交換局（ＭＳＣ）サーバ２０８に結合される、又はそれらに結合可能である。Ｅ−ＵＴＲＡＮセル２０６は、ＭＭＥ１１０に結合される、又はそれに結合可能である。ＭＭＥ１１０は、ＳＧＳＮ１１８及びＭＳＣサーバ２０８に結合される、又はそれらに結合可能である。
【００１８】
ＧＥＲＡＮ１３２及びＵＴＲＡＮ１３０のＲＡＮは、アーキテクチャ２００に具現化され得るような、ネットワーク１００の回線交換（ＣＳ）ドメインに接続され得る。加入者がＣＳ音声通話をセットアップする必要があるときに、ＵＥ１０２がＥ−ＵＴＲＡＮ２０６セルを介して通信状態にある、又は通信している複数の状況では、モバイルネットワーク１００はＣＳフォールバック（ＣＳＦＢ）を含み得る。ＣＳＦＢでは、Ｅ−ＵＴＲＡＮ２０６セル内のＵＥ１０２は、ＵＥ１０２がＣＳ通話をセットアップする必要がある、又はＵＥ１０２がＣＳ通話用のページングに応答する必要があるという信号をコアネットワーク１００に送り得る。モバイルネットワーク１００、及び／又はアーキテクチャ２００は、例えばパケット交換（ＰＳ）ハンドオーバを介して、「リリースリダイレクション」手順を介して、又はネットワーク支援セルチェンジオーダ（ＣＣＯ）を介して、ＵＥ１０２をＧＥＲＡＮ２０４セル又はＵＴＲＡＮ２０２セルにリダイレクトし得る。そのような複数の例では、ＵＥ１０２は、ＭＳＣサーバ２０８を介して、モバイル発信通話をセットアップする、又はモバイル着信通話を受信することが可能である。ＧＥＲＡＮ２０４セル及び／又はＵＴＲＡＮ２０２セル内で、ＣＳ通話が一度リリースされると、ＵＥ１０２は、自然に（例えばセルリセレクションを介して）あるいはＧＥＲＡＮ及び／又はＵＴＲＡＮの助けによって（例えば、ＣＳ通話用の無線接続のリリース中に、ＧＥＲＡＮ２０４セル及び／又はＵＴＲＡＮ２０２セルが、ＵＥ１０２に特定のＥ−ＵＴＲＡＮセル２０６を直ちに選択するように命令する場合）の何れかで、Ｅ−ＵＴＲＡＮセル２０６に戻り得る。
【００１９】
ＣＳ通話の間、ＵＥ１０２がＧＥＲＡＮセル２０４内にあり、ＵＥ１０２又はＧＥＲＡＮセル２０４が（例えば、デュアル転送モード（ＤＴＭ）機能が存在しない、又はサポートされていないために）複数のＣＳサービス及び複数のパケットサービスの併用をサポートしていない場合、次にネットワーク１００及び／又はアーキテクチャ２００は、ＵＥ１０２用の複数のパケットサービスを中断し得る。そのような状況において、複数のダウンリンクパケットはＵＥ１０２に供給され得ないが、ネットワーク１００及び／又はアーキテクチャ２００の複数のリソースを潜在的に不必要に消費して、パケットデータネットワークゲートウェイ（ＰＤＮ−ＧＷ）によって、ＵＥ１０２に向けて転送され得る。一例において、ＵＥ１０２及び／又は複数のコアネットワークノード（例えば、適宜にＭＭＥ１１０及び／又はＳＧＳＮ１１８）の１つは、複数のゲートウェイが複数のダウンリンクユーザパケットをＵＥ１０２からもはや転送すべきではないことを、サービングゲートウェイ（Ｓ−ＧＷ）及び／又はＰＤＮ−ＧＷに通知し得る。更に又は代替的に、ＭＭＥ１１０又はＳＧＳＮ１１８は、複数のリアルタイムサービスに用いられる複数の専用のパケットベアラを無効にし得る。そのような複数のサービスは、複数のユーザデータパケットが比較的短い時間内に供給されることを必要とし得る。
【００２０】
ＣＳ通話がリリースされるとき、又はＣＳ通話中にＵＥ１０２が、複数のＣＳサービス及び複数のパケットサービスが併用されることが可能なセルにハンドオーバされるとき、ＵＥ１０２又は、ネットワーク１００及び／又はアーキテクチャ２００は、ゲートウェイが複数のパケットサービスを再開してよい（例えば、ゲートウェイがダウンリンクユーザプレーンパケットをユーザデバイス１０２から転送することを再開してよい）という信号を、Ｓ−ＧＷ及び／又はＰＤＮ−ＧＷに送る。
【００２１】
様々な例において、ＵＥ１０２がＧＥＲＡＮセル２０４内にある間に、複数のパケットサービスを中断する信号を送るために、３ＧＰＰ規格などモバイルネットワーク１００用の規格は、２つの手順を提供し得る。その手順は、ＭＭＥ１１０主導の中断、及びＵＥ１０２主導の中断（例えばＳＧＳＮ１１８を介して）である。これらの手順は、例えば、ＣＳＦＢがＧＥＲＡＮ２０４又はＵＴＲＡＮ２０２のターゲットセルに対して実行されたか否か、ＣＳＦＢがＰＳハンドオーバを介して、又はリリースリダイレクションあるいはＣＣＯを介して実行されたか否か、ＣＳＦＢ前にアイドルモード信号低減（ＩＳＲ）が有効にされたか否か、及び、ＧＥＲＡＮセル２０４及び／又はＵＴＲＡＮセル２０２にサービスを提供するＳＧＳＮ１１８が、ＵＥ１０２が登録されているＳＧＳＮ１１８であるか否かに依存した、複数の変形を含み得る。 
【００２２】
それに対応して、ＵＥ１０２がＥ−ＵＴＲＡＮセル２０６に戻るときに複数のパケットサービスを再開するための２つの異なる手順がある。１つはＭＭＥ１１０を介した信号を使用し、もう１つはＳＧＳＮ１１８を介した信号を使用する。しかしながら、再接続が発生し得る複数の可能性があるシナリオに起因して、３ＧＰＰ規格の両方の主な再開手順が、複数のパケットサービスの再開に失敗し得る複数の場合がある。そのような場合に、複数のパケットサービスは中断された状態を保ち得て、ＵＥ１０２は端末で受信する複数のパケットサービスに到達できない状態を保ち得る。例えば、ＵＥ１０２がＶｏＬＴＥ以外のＩＰマルチメディアサブシステム（ＩＭＳ）、例えばインターネットプロトコル（ＩＰ）を介したＩＭＳメッセージング又はショートメッセージサービス（ＳＭＳ）に登録されている場合、端末で受信するインスタントメッセージ又はショートメッセージは、ＵＥ１０２に供給され得ない。なぜなら、そのような複数のサービス用の信号はセッション開始プロトコル（ＳＩＰ）を利用し得るが、ＳＩＰ信号メッセージを転送するために用いられるパケットベアラが中断されているからである。
【００２３】
ＵＥ１０２は無線送受信器２１０、プロセッサ２１２、及びレジスタを含む電子メモリ２１４を含む。送受信器は、ＵＴＲＡＮセル２０２、ＧＥＲＡＮセル２０４、及びＥ−ＵＴＲＡＮセル２０６と通信するように構成される。プロセッサ２１２は、概してＵＥ１０２の動作、及びその構成要素２１０、２１４を少なくとも部分的に制御するように構成される。当技術分野で知られているように、プロセッサ２１２はマイクロプロセッサ、コントローラ、又は他の専用のハードウェアであってよい。電子メモリ２１４は、様々な電子メモリ、又は当技術分野で知られている複数のデータレジスタを実装するのに適した他の複数の技術の何れかに従って、実装されたレジスタであってよく、又はそれを含んでよい。
【００２４】
図３は、例示的実施形態における、ＭＭＥ１１０を介した複数のデータパケットの再開を示すデータフロー３００である。複数のパケットサービスの再開は、上述のようにＭＭＥ１１０を介して行われ得る。ＵＥ１０２がＥ−ＵＴＲＡＮ２０６に戻り、ＣＳ通話中に複数のパケットサービスが中断されたとき、次にＵＥ１０２は、トラッキングエリア更新（ＴＡＵ）要求メッセージ３０２をＭＭＥ１１０に送信することによって、組み合わせたトラッキングエリア更新手順を実行し得る（例えば、ＴＳ２３．２７２の６．５項及び７．６項、並びにＴＳ２４．３０１の５．５．３．２．２項を参照）。ＭＭＥ１１０へのＴＡＵ要求メッセージ３０２が、再開／修正ベアラのメッセージ３０４をＳ−ＧＷ３０６に向けて開始する状況において、Ｓ−ＧＷはこれを暗黙の再開として解釈し、それに応じてＰＤＮ−ＧＷに通知する（例えば、ＴＳ２３．４０１の５．３．３．２項のステップ９及び１３を参照）。
【００２５】
様々な場合において、ＭＭＥ１１０内のＵＥ１０２コンテクストは、「中断済み」としてマークされ、また、ＭＭＥ１１０は、Ｓ−ＧＷ３０６又はＳＧＳＮ１１８に向けて、何もＴＡＵ関連の信号送信を開始しない。ＣＳＦＢがリリースリダイレクション又はＣＣＯを介して（例えば、ＰＳハンドオーバを介さず）実行され、ｅＮｏｄｅ−Ｂ３０８がＭＭＥ１１０に、ターゲットセルにおいてＵＥ１０２は複数のパケットサービスを利用可能ではないことを知らせる場合、及びいくつかの状況においてはその場合に限り、特定の複数の例において、ＭＭＥ１１０はＵＥ１０２コンテクストを「中断済み」としてマークし得る。 そのような複数の状況において、ＣＳＦＢ用のターゲットセルはＧＥＲＡＮセル２０４でよく、ＵＥ１０２及びＧＥＲＡＮセル２０４の１又は複数は、デュアル転送モード（ＤＴＭ）をサポートしていない。結果として、ＣＳＦＢがＰＳハンドオーバによって実行される場合、又はターゲットセルがＵＴＲＡＮセル２０２である場合、ＭＭＥ１１０はＵＥ１０２コンテクストを中断済みとしてマークすることはない。
【００２６】
一例において、ＩＳＲが有効にされ、ＵＥ１０２がＴＡＵ要求メッセージ３０２をＵＥ１０２が既に登録されているＭＭＥ１１０に送信する場合、次にＭＭＥ１１０は、Ｓ−ＧＷ３０６及び／又はＳＧＳＮ１１８に向けて、何もＴＡＵ関連の信号送信を開始しなくてよい。全体として、ＣＳＦＢがＰＳハンドオーバを介して実行される場合、又はターゲットセルがＵＴＲＡＮセル２０２である場合、及びＣＳ通話中にＩＳＲが有効にされた状態を保つ場合、通話のリリース後に、ＵＥ１０２は同じＭＭＥ１１０に戻り、ＭＭＥ１１０による再開は、従来のモバイルネットワーク１００のプロトコルに従って、動作しないことがある。
【００２７】
一例において、モバイルネットワーク１００はプロトコルを含み、その結果、様々な例において、ＵＥがＥ−ＵＴＲＡＮに戻り、ＣＳ通話中に複数のパケットサービスが中断されたとき、次にＵＥは、ＴＡＵ要求メッセージをＭＭＥ１１０に送信することによって、組み合わせたＴＡＵ手順を実行し得る（図３、またＴＳ２３２．２７２の６．５項及び７．６項、並びにＴＳ２４．３０１の５．５．３．２．２項を参照）。一例において、ＵＥが組み合わせたＴＡＵ手順を開始する前に（例えば、ＵＥ１０２がＴＡＵ要求メッセージをフォーマットする前に）、ＵＥ１０２はＩＳＲを局所的に無効にし得て、例えば、ＵＥ１０２の内部制御パラメータである次回更新時に用いられる仮識別子（Ｔｅｍｐｏｒａｒｙ  Ｉｄｅｎｔｉｔｙ  ｕｓｅｄ  ｉｎ  Ｎｅｘｔ  ｕｐｄａｔｅ）（ＴＩＮ）の値が「ＲＡＴ関連」である場合、次にＵＥ１０２は当該値を「パケット仮携帯電話加入者識別子（Ｐ−Ｔｅｍｐｏｒａｒｙ  Ｍｏｂｉｌｅ  Ｓｕｂｓｃｒｉｂｅｒ  Ｉｄｅｎｔｉｔｙ）」（Ｐ−ＴＭＳＩ）に変更し得る。
【００２８】
様々な例において、ＴＩＮがＰ−ＴＭＳＩに設定される場合、ＭＭＥ１１０にＴＡＵ関連の信号をＳＧＳＮ１１８及びＳ−ＧＷ３０６に向けて開始させるように、ＵＥ１０２はＴＡＵ要求メッセージの内容をポピュレートし、こうして複数のパケットサービスを再開する。一例において、ＣＳＦＢ手順のターゲットセルがＧＥＲＡＮセル２０４であって、ＣＳＦＢがリリースリダイレクション又はＣＣＯを介して実行された場合など、ＭＭＥ１１０がＵＥ１０２コンテクストに中断済みとしてマークしたとＵＥ１０２が仮定することが可能な場合、ＵＥ１０２は（例えば、複数のパケットサービスの再開のために）ＩＳＲのローカルな無効化を実行しない。
【００２９】
パケットフロー３００を参照すると、ＵＥ１０２が、ＴＡＵ要求メッセージ３０２を送信する前に、ＴＩＮをＰ−ＴＭＳＩに設定する場合、次にＵＥ１０２は、グローバル一意仮識別子（ＧＵＴＩ）情報要素を、Ｐ−ＴＭＳＩ及び関連ＲＡＩからマッピングされたＧＵＩＴとともに、ＴＡＵ要求メッセージ３０２内にポピュレートする。これは、ＭＭＥ１１０にＳＧＳＮ１１８（例えば、本明細書に開示されたような３ＧのＳＧＳＮなど「旧式の」ＳＧＳＮ１１８、またＴＳ２３．４０１の５．３．３．２項のステップ４、５、及び７を参照、コンテクスト要求、コンテクスト応答、コンテクスト肯定応答）及びＳ−ＧＷ３０６（同じくステップ９及び１３を参照、修正ベアラ要求及び修正ベアラ応答）と信号メッセージをやり取りさせる、又はそれを強いる。Ｓ−ＧＷ３０６が、修正ベアラ要求又は修正アクセスベアラ要求メッセージを受信するとき、次にＳ−ＧＷ３０６は、そのような要求を、複数のパケットサービスを再開する暗黙の要求と解釈し、それに応じてＰＤＮ−ＧＷに通知し得る。ＴＡＵ信号の間、ＭＭＥ１１０は、ＵＥ１０２、旧式のＳＧＳＮ１１８（例えば３ＧのＳＧＳＮ）、及びＳ−ＧＷ３０６を用いて、ＩＳＲを直ちに再確立することが可能である。
【００３０】
様々な例において、ＩＳＲはＣＳＦＢに登録しているＵＥ１０２用に有効にされなくてもよい。様々な例において、基地局コントローラ（ＢＳＣ）の挙動は修正され得る。そのような例では、ＧＰＲＳの再開が失敗した場合、次にＢＳＣは、Ｅ−ＵＴＲＡＮに対するリダイレクション情報をチャネルリリースメッセージに含めることを回避し得る（本明細書に開示）。ＵＥ１０２はＧＥＲＡＮセル２０４上にとどまり、ルーティングエリア更新手順を実行して、複数のパケットサービスを再開する機会を有する。一例において、ＭＭＥ１１０の挙動はネットワークサポートＧＥＲＡＮ内などで修正され得て、ＵＥ１０２がＣＳＦＢを実行するとき、ＭＭＥ１１０はＵＥ１０２コンテクストを中断済みとしてマークし得る。
【００３１】
様々な例において、モバイルネットワーク１００は、複数のパケットサービスが再開され得ない他の複数のネットワークの状況を回避し得る。だが、ＵＥ１０２がＴＡＵ手順を実行し得る。モバイルネットワーク１００は、従来の複数の規格及び特定の従来の複数のプロトコルに従って動作する、従来の複数のネットワークの複数の要素を含み得る。モバイルネットワーク１００は、ＭＭＥ１１０及びＳＧＳＮ１１８の間でやり取りされた、３つの追加のメッセージを含み得る。しかしながら、追加の複数のメッセージは、ＣＳＦＢの間にＵＥ１０２が実際に複数のパケットサービスを中断した状況、及びＩＲＳが有効にされた状況に限定され得る（例えば、コアネットワークに接続されたＧＥＲＡＮがない場合、又はＰＬＭＮがＩＳＲを有効にしない場合、いずれにしても複数のパケットサービスは中断され得ない）。追加の信号は、ＭＭＥ１１０がＵＥ１０２コンテクストを中断済みとしてマークしなかった複数の場合に、更に限定され得る。
【００３２】
図４は、例示的実施形態における、イントラＳＧＳＮ１１８の通信用の中断及び再開手順を示すデータフロー４００である。データフロー４００は、ネットワーク１００によって、又はネットワーク１００に関して本明細書に説明された複数のプロトコルを必ずしも含まないネットワークによって、実行され得る。
【００３３】
専用モード４０２がＵＥ１０２、基地局サブシステム（ＢＳＳ）４０４、ＳＧＳＮ１１８、及びＭＳＣ２０８の間に確立され得る。ＵＥ１０２は、中断メッセージ４０６をＢＳＳ４０４に送信し得る。ＢＳＳ４０４は、中断メッセージ４０８をＳＧＳＮ１１８に送信し得る。ＳＧＳＮ１１８は中断肯定応答メッセージ４１０で応答し得る。再開手順を開始する際、ＢＳＳ４０４は再開メッセージ４１２をＳＧＳＮ１１８に送信し得る。ＳＧＳＮ１１８は、再開肯定応答メッセージ４１４で応答し得る。ＢＳＳ４０４は、チャネルリリースメッセージ４１６をＵＥ１０２に送信し、次にルーティングエリア更新要求４１８をＳＧＳＮ１１８に送信し得る。
【００３４】
ＣＳＦＢ用のターゲットセルがＧＥＲＡＮセル２０４であり、ＵＥ１０２及びＧＥＲＡＮセル２０４がＤＴＭをサポートしない場合、先に詳述したように、ＵＥ１０２はＳＧＳＮ１１８に対して中断手順を開始し得る。ＩＳＲが有効な場合、次に、ＢＳＳ４０４から中断メッセージ４０８を受信するＳＧＳＮ１１８は、Ｓ−ＧＷ及び／又はＰＤＮ−ＧＷ３０６に向けて中断手順を開始するか、又は、ＵＥ１０２が異なるＳＧＳＮ１１８（例えば、以前に登録されたＳＧＳＮ１１８）に登録される場合、ＳＧＳＮ１１８は、前のＳＧＳＮ１１８に中断要求を転送し得えて、前のＳＧＳＮ１１８は、次にＳ−ＧＷ及び／又はＰＤＮ−ＧＷ３０６に向けて中断手順を開始し得るかの何れかである（例えば、ＴＳ２３．２７２の６．２項のステップ３ｃ、及び６．３項のステップ７と８を参照）。様々な例において、ＩＳＲが有効であるとき、ＭＭＥ１１０は、複数のパケットベアラが中断されたＳＧＳＮ１１８又はＳ−ＧＷ３０６によって通知されない。またその後ＣＳＦＢ通話中に、ＵＥ１０２がＧＥＲＡＮセル２０４にハンドオーバを実行し、ＵＥ１０２又はＧＥＲＡＮセル２０４がＤＴＭをサポートしない場合、ＵＥ１０２は、先に詳述したように、ＳＧＳＮ１１８に向けて中断手順を開始し得る。
【００３５】
様々な例において、ＣＳ通話の終了後、ＵＥ１０２は複数のＰＳサービスを再開し得る（例えばＴＳ２３．０６０に従って）。様々な例において、ＣＳ音声通話が終了した後、ＵＥ１０２がＵＴＲＡＮ／ＧＥＲＡＮ上にとどまる場合、ＵＥ１０２は通常のモビリティマネジメント手順を実行し得る（例えば、ＴＳ２３．０６０［３］及びＴＳ２４．００８［２１］に規定されるように）。複数の特定の例において、複数のＰＳサービスの再開は、ＢＳＳ−ＳＧＳＮの信号に従って行われないことがあり、ＵＥは通常のモビリティマネジメント手順をＧＥＲＡＮ／ＵＴＲＡＮにおいて開始しないことがある。
【００３６】
例えば、ＣＳのシステム間ハンドオーバに起因して、イントラＳＧＳＮが中断された場合（例えば、ＰＳハンドオーバを介したＥ−ＵＴＲＡＮからＵＴＲＡＮへのＣＳＦＢ後に、ＵＴＲＡＮからＧＥＲＡＮへのＣＳ通話のハンドオーバ）、次にＢＳＳ−ＳＧＳＮ信号を介した再開は行われない、又は特定の複数の状況では、無線システムの変更に起因して、可能ではないことがある（例えば、ＴＳ２３．０６０の１６．２．１．２．１項を参照）。
【００３７】
図５は、例示的実施形態における、ＧＥＲＡＮセル２０４及びＵＴＲＡＮセル２０２の両方を扱う、２Ｇ／３Ｇ複合ＳＧＳＮ５０２用のデータフロー５００である。データフロー５００は、ネットワーク１００によって、又はネットワーク１００に関して本明細書に説明された複数のプロトコルを必ずしも含まないネットワークによって、実行され得る。
【００３８】
システム間ハンドオーバメッセージ５０４は、ＵＥ１０２、ＢＳＳ４０４、２Ｇ／３ＧのＳＧＳＮ５０２、サービング無線ネットワークサブシステム５０４（ＳＲＮＳは、例えば、ＵＴＲＡＮと同等の基地局サブシステム）及びＭＳＣ２０８との間、及びそれらの中でやり取りされ得る。ＵＥ１０２は、中断メッセージ５０６をＢＳＳ４０４に送信し得る。ＢＳＳ４０４は、中断メッセージ５０８を２Ｇ／３ＧのＳＧＳＮ５０２に送信し得る。ＳＧＳＮ５０２は、ＳＲＮＳコンテクスト要求５１０をＳＲＮＳ５０４に転送し得る。ＳＲＮＳ５０４は、ＳＲＮＳコンテクスト応答５１２をＳＧＳＮ５０２に送信し得る。ＳＧＳＮ５０２は、中断肯定応答メッセージ５１４をＢＳＳ４０４に送信し得る。ＢＳＳ４０４は、再開メッセージ５１６をＳＧＳＮ５０２に送信し得る。図示された例において、ＳＧＳＮ５０２は、再開否定応答メッセージ５１８で応答し得る。ＢＳＳ４０４は、チャネルリリースメッセージ５２０をＵＥ１０２に送信し得る。ＵＥ１０２は、ルーティングエリア更新要求５２２をＳＧＳＮ５０２に送信し得る。
【００３９】
したがって、再開メッセージ５１６及び再開否定応答メッセージ５１８は、複数のパケットサービスを再開すべく、ＵＥ１０２にルーティングエリア更新要求手順を開始させ得る。しかしながら、特定の複数の状況において、ＵＥ１０２にＥ−ＵＴＲＡＮセルを選択するように命令し得る、いくつかの又は全てのＴＣＨ及びＳＤＣＣＨ情報要素のリリース後に、チャネルリリースメッセージがセル選択指示を含むとき、次にＵＥ１０２は、チャネルリリースメッセージ５２０が、汎用パケット無線サブシステム（ＧＰＲＳ）の再開が成功したという指示を含まない場合であっても、複数のパケットサービスを再開すべくルーティングエリア更新手順を開始することが可能となり得ない。
【００４０】
図６は、例示的実施形態における、ＧＥＲＡＮセル２０４及びＵＴＲＡＮセル２０２のそれぞれを扱う、２Ｇ専用ＳＧＳＮ６０２及び３Ｇ専用ＳＧＳＮ６０４のためのメッセージフロー６００である。したがって、図５のメッセージフロー５００は２Ｇ／３Ｇ複合ＳＧＳＮ５０２に適用可能である一方、メッセージフロー６００は別個の専用ＳＧＳＮ１１８に適用可能であり得る（例えば、ＴＳ２３．０６０の１６．２．１．２．２項を参照）。データフロー６００は、ネットワーク１００によって、又はネットワーク１００に関して本明細書に説明された複数のプロトコルを必ずしも含まないネットワークによって実行され得る。
【００４１】
図示された例において、ＵＥ１０２、ＢＳＳ４０４、２ＧのＳＧＳＮ６０２、３ＧのＳＧＳＮ６０４、ＳＲＮＳ５０４、及びＭＳＣ２０８は、システム間ハンドオーバメッセージ６０６に従って、通信を行う。ＵＥ１０２は、中断メッセージ６０８をＢＳＳ４０４に送信する。ＢＳＳ４０４は、中断メッセージ６１０を２ＧのＳＧＳＮ６０２に送信する。２ＧのＳＧＳＮ６０２は、中断要求メッセージ６１２を３ＧのＳＧＳＮ６０４に送信する。３ＧのＳＧＳＮ６０４は、ＳＲＮＳコンテクスト要求メッセージ６１４をＳＲＮＳ５０４に送信する。ＳＲＮＳ５０４は、ＳＲＮＳコンテクスト応答メッセージ６１６を３ＧのＳＧＳＮ６０４に送信する。３ＧのＳＧＳＮ６０４は、中断応答メッセージ６１８を２ＧのＳＧＳＮ６０２に送信する。２ＧのＳＧＳＮ６０２は、中断肯定応答メッセージ６２０をＢＳＳ４０４に送信する。ＢＳＳ４０４は次に、再開メッセージ６２２を２ＧのＳＧＳＮ６０２に送信する。２ＧのＳＧＳＮ６０２は、中断否定応答メッセージ６２４をＢＳＳ４０４に送信する。ＢＳＳ４０４は、チャネルリリースメッセージ６２６をＵＥ１０２に送信する。ＵＥ１０２は、ルーティングエリア更新要求６２８を２ＧのＳＧＳＮ６０２に送信する。
【００４２】
上記例において、３ＧのＳＧＳＮ６０４は確立された又は第１のＳＧＳＮ１１８であってよく、例えばＵＥ１０２は、３ＧのＳＧＳＮ６０４及びＭＭＥ１１０に（例えばＩＳＲが有効であるときに）登録され、ＣＳＦＢターゲットセルは、３ＧのＳＧＳＮ６０４によってサービスされたＵＴＲＡＮセル２０２である。ＣＳ通話中に、ＵＥ１０２は、ＵＴＲＡＮからＧＥＲＡＮへ、ＣＳシステム間ハンドオーバを実行し、中断メッセージ６０８、６１０は、２ＧのＳＧＳＮ６０２によって受信され得る。様々な例において、ＳＧＳＮ１１８を介した再開がＲＡＴ間の変化を含む場合、又は１より多いＳＧＳＮ１１８が含まれる場合、及びネットワーク１００がＥ−ＵＴＲＡＮへの即時のリダイレクションを有するリリースを実行する場合、次にＳＧＳＮ１１８を介した再開は動作し得ない。
【００４３】
図２を参照したあるシナリオ例において、メッセージフロー３００、４００、５００、６００のうち１又は複数に従って、ＵＥ１０２はＥ−ＵＴＲＡＮセル２０６内にある。ＵＥ１０２は、ＭＭＥ１１０及びＳＧＳＮ１１８に登録され、ＩＳＲは有効である。ＵＥ１０２は、拡張サービス要求メッセージをＭＭＥ１１０に送信して、ＣＳＦＢ通話を開始する、又はＣＳＦＢ通話のためのページングに応答する。ネットワーク１００及び／又はアーキテクチャ２００は、ＵＴＲＡＮターゲットセル２０２に対して、ＣＳＦＢを実行する。ＵＥ１０２は、ＵＴＲＡＮターゲットセル２０２内のＰＳサービスに、利用可能であり得る。そのような状況において、ＭＭＥ１１０は、ＵＥ１０２コンテクストを中断済みとしてマークしなくてよい。
【００４４】
ＵＴＲＡＮターゲットセル２０２は、ＳＧＳＮ１１８によって、登録されたルーティングエリア識別子（ＲＡＩ）の下にサービスを提供され得る。そのような例において、ＵＥ１０２は、ルーティングエリア更新手順を開始しなくてよい。ＩＳＲは、有効な状態を保ち得る。様々な例において、ＣＳＦＢに起因してＲＡＩが変化する場合、動作のネットワークモード（ＮＭＯ）がＮＭＯ  Ｉの場合であっても、ＵＥ１０２は通常のルーティングエリア更新を実行し得る。そのような例において、ＳＧＳＮ１１８が変化しない場合、ＩＳＲは有効な状態を保ち得る。
【００４５】
ＣＳ通話中に、ＵＥは、ＤＴＭをサポートしないＧＥＲＡＮセル２０４へのＣＳハンドオーバを実行し得る。ＵＥ１０２は、中断手順を開始し得る。ＧＥＲＡＮセル２０４が、２Ｇ／３ＧのＳＧＳＮ５０２によってサービスを提供される場合、２Ｇ／３ＧのＳＧＳＮ５０２は、Ｓ−ＧＷ／ＰＤＮ−ＧＷ３０６に向けて、パケットベアラの中断を開始し得る。ＧＥＲＡＮセル２０４が、異なるＳＧＳＮ１１８（例えば、２ＧのＳＧＳＮ６０２）によってサービスを提供される場合、ＳＧＳＮ１１８は、中断要求を２Ｇ／３ＧのＳＧＳＮ５０２に転送し得て、２Ｇ／３ＧのＳＧＳＮ５０２は、Ｓ−ＧＷ／ＰＤＮ−ＧＷ３０６に向けて、複数のパケットベアラの中断を開始し得る。そのような複数の状況において、ＭＭＥ１１２０は、中断に関して通知されなくてよい。
【００４６】
ＣＳ通話がリリースされるとき、ＭＳＣサーバ２０８は、通話がＣＳＦＢ通話として開始されたことを、例えばＣＳＦＢ指示を提供することによって、ＢＳＳ４０４のＢＳＣに通知する。ＢＳＣはこの情報を利用し得て、チャネルリリースメッセージの中に、Ｅ−ＵＴＲＡＮセル２０６を選択するための指示を含む。この指示は、Ｅ−ＵＴＲＡＮセル２０６を直ちに選択し得る。チャネルリリースメッセージをＵＥ１０２に送信する前に、ＢＳＣは再開メッセージをＳＧＳＮ１１８に送信し得るが、（例えば、ＵＴＲＡＮターゲットセル２０２へのＰＳハンドオーバ後に）ＲＡＴ間の変化に起因して、再開は可能となり得ず、ＳＧＳＮ１１８は再開否定応答メッセージで応答し得る。したがって、ＢＳＣはまた、ＧＰＲＳの再開が失敗したというチャネルリリースメッセージを開始し得る。様々な例において、ＧＥＲＡＮセル２０４が、３ＧのＳＧＳＮ６０４と異なる２ＧのＳＧＳＮ６０２によってサービスを提供される場合、２ＧのＳＧＳＮ６０２は、中断要求を３ＧのＳＧＳＮ６０４に転送しなくてよいが、再開否定応答メッセージで応答してもよい。
【００４７】
ＵＥ１０２は、チャネルリリースメッセージを受信し得る。ＵＥ１０２の無線リソース（ＲＲ）制御は、セル選択情報に反応し、Ｅ−ＵＴＲＡＮセル２０６の選択をもたらし得る。更に、ＲＲは、ＵＥ１０２のＧＰＲＳモビリティマネージャ（ＧＭＭ）に、ＧＰＲＳの再開が失敗したことを通知し得る。ＵＥ１０２はＵＴＲＡＮ／ＧＥＲＡＮセル２０２、２０４内にない場合があるので、ＧＭＭは、複数のパケットサービスを再開すべく、ルーティングエリア更新手順を開始しなくてもよい。代わりに、ＵＥ１０２はトラッキングエリア更新手順を開始してよい。ＩＳＲはまだ、ＵＥ１０２で有効であり得る。
【００４８】
ＴＡＵ要求メッセージは、ＵＥ１０２が登録された同じＭＭＥ１１０によって受信され得る。ＩＳＲはまだ有効であり、ＵＥ１０２コンテクストは中断済みとしてマークされていない場合があるので、ＭＭＥ１１０はＴＡＵ受入メッセージをＵＥ１０２に送信するだけでよいが、３ＧのＳＧＳＮ６０４又はＳ−ＧＷ３０６に向けて、何も又は実質的に何も信号送信を開始しなくてよい。こうして、複数のパケットサービスは中断された状態を保ち得る。ＩＲＳが有効な状態を保っている間の定期的なトラッキングエリア更新、又は他のトラッキングエリア更新は、複数のパケットサービスの再開をもたらさない。そのような複数の状況において、ＵＥ１０２は長時間到達できない状態を保ち得る。逆に、Ｅ−ＵＴＲＡＮを介したルーティングエリア更新又はサービス要求は、例えばＵＥ１０２がアップリンクユーザデータを送信する必要がある場合、複数のパケットサービスの再開をもたらし得る。
【００４９】
本明細書に詳述された複数のパケットサービスの再開失敗は、（例えば、上記図３に関して）本明細書に説明された複数のプロトコルを実装するモバイルネットワーク１００に当てはまらないことがある。特に、モバイルネットワーク１００は、ＩＳＲを局所的に無効にする、本明細書に説明されたプロトコルを含み得る。したがって、モバイルネットワーク１００は、本明細書に説明された複数の状況において、複数のパケットサービスを再開し得る。それらの状況において、本明細書に説明されたプロトコルに従ってＩＳＲを無効にしないネットワーク１００、又は他の複数のネットワークは、複数のパケットサービスを再開し得ない。
【００５０】
図７は、例示的実施形態における、無線アクセス技術情報を格納するためのフローチャートである。フローチャートは、モバイルネットワーク１００、又は任意の他の適切なネットワークもしくはシステムに対して用いられ得る。
【００５１】
７００において、ユーザ機器の送受信器などのユーザ機器は、第１の無線アクセスネットワークによる通信から第２の無線アクセスネットワークによる通信へ切り替えられる。
【００５２】
７０２において、ユーザ機器のレジスタが、ユーザ機器のプロセッサを用いて、第１の無線アクセスネットワークによる複数のパケットサービスを開始すべく設定される。一例において、レジスタは、第１の無線アクセスネットワークと再接続するためのユーザ機器の識別子を提供するように構成された、仮識別子レジスタである。一例において、複数のパケットサービスを開始するためのレジスタ設定は、無線アクセス技術に基づいているレジスタの初期設定に、少なくとも部分的に、基づいている。一例において、ユーザ機器及び第１の無線アクセスネットワークは、無線アクセス技術に従って、通信を行うように構成される。一例において、第２の無線アクセスネットワークが、移動通信用グローバルシステム（ＧＳＭ（登録商標））無線アクセスネットワークの少なくとも１つであり、切り替えが、リリースリダイレクションであった、及びセルチェンジオーダの少なくとも１つである場合、複数のパケットサービスを開始すべくレジスタを設定することは実行されない。
【００５３】
７０４において、ユーザ機器のプロセッサは、レジスタ及びプロトコルに基づいて、要求を構成する。
【００５４】
７０６において、要求はユーザ機器を用いて、第１の無線アクセスネットワークのコアネットワークノードに送信され、少なくとも部分的にレジスタに基づいて、第１の無線アクセスネットワークと通信を再開する。一例において、要求は、少なくとも部分的に、モバイルネットワークの地理的特性に基づいている。一例において、モバイルネットワークの地理的特性は、ネットワークのトラッキングエリアであり、要求は、第１の無線アクセスネットワークでトラッキングエリア更新手順を実行する要求である。
【００５５】
７０８において、少なくとも部分的に複数のパケットサービスに基づいて、通信が第１の無線アクセスネットワークで再開される。一例において、第１の無線アクセスネットワークとの通信の再開は、少なくとも部分的に、複数のパケットサービスに基づいている。
【００５６】
図８は、いくつかの例示的実施形態に従った、機械８００の複数の構成要素を示すブロック図であり、機械可読媒体（例えば機械可読記憶媒体）から複数の命令を読み取り、本明細書で説明された複数の手順の任意の１又は複数を実行することが可能である。具体的には、図８は、コンピュータシステムの例示的な形態における機械８００の図表示を示し、当該コンピュータシステム内において、機械８００に本明細書で説明された複数の手順の任意の１又は複数を実行させるための複数の命令８２４（例えばソフトウェア）が実行され得る。複数の代替の実施形態において、機械８００はスタンドアロン型装置として動作する、又は他の複数の機械に接続（例えばネットワーク接続）され得る。ネットワーク接続された配置において、機械８００は、サーバクライアントネットワーク環境のサーバマシン又はクライアントマシンの能力で動作し得る、又はピアツーピア（又は分散）ネットワーク環境のピアマシンとして動作し得る。機械８００は、サーバコンピュータ、クライアントコンピュータ、パーソナルコンピュータ（ＰＣ）、タブレットコンピュータ、ラップトップコンピュータ、ネットブック、セットトップボックス（ＳＴＢ）、携帯情報端末（ＰＤＡ）、携帯電話、スマートフォン、ウェブ機器、ネットワークルータ、ネットワークスイッチ、ネットワークブリッジ、もしくは複数の命令８２４を連続して実行可能な、又はそうでなければ当該機械によって理解される複数の動作を特定する任意の機械であってよい。更に、単一の機械のみが示されるが、「機械」という用語はまた、個別に又は共同で複数の命令８２４を実行して、本明細書で説明された複数の手順の任意の１又は複数を実行する複数の機械の集合を含むと、理解されるものとする。
【００５７】
機械８００は、プロセッサ８０２（例えば、中央処理ユニット（ＣＰＵ）、グラフィクプロセッシングユニット（ＧＰＵ）、デジタルシグナルプロセッサ（ＤＳＰ）、特定用途向け集積回路（ＡＳＩＣ）、無線周波数集積回路（ＲＦＩＣ）、又はこれらの任意の適した組み合わせ）、メインメモリ８０４、及びスタティックメモリ８０６を含み、これらはバス８０８を介して互いに通信を行うように構成される。機械８００は、グラフィックディスプレイ８１０（例えば、プラズマディスプレイパネル（ＰＤＰ）、発光ダイオード（ＬＥＤ）ディスプレイ、液晶ディスプレイ（ＬＣＤ）、プロジェクタ、又は陰極線管（ＣＲＴ））を更に含む。また、機械８００は英数字入力装置８１２（例えばキーボード）、カーソル制御装置８１４（例えば、マウス、タッチパッド、トラックボール、ジョイスティック、動きセンサ、又は他のポインティング器具）、記憶装置８１６、信号発生装置８１８（例えばスピーカ）、及びネットワークインタフェースデバイス８２０を含む。
【００５８】
記憶装置８１６は、本明細書に説明された手順又は機能の任意の１又は複数を具現する複数の命令８２４（例えばソフトウェア）を格納する、機械可読媒体８２２を含む。また、複数の命令８２４は、機械８００によるその実行中に、完全に又は少なくとも部分的に、メインメモリ８０４内、プロセッサ８０２内（例えば、プロセッサのキャッシュメモリ内）、又は両方に存在し得る。したがって、メインメモリ８０４及びプロセッサ８０２は、機械可読媒体とみなされ得る。複数の命令８２４は、ネットワークインタフェースデバイス８２０を介したネットワーク８２６を通じて、送信又は受信され得る。ネットワークインタフェースデバイス８２０、セルラ又はモバイルネットワーク１００などのモバイルネットワークで利用され得る、１又は複数の送受信器を含む有線送受信器又は無線送受信器であってよい。
【００５９】
本明細書において使用されたように、「メモリ」という用語はデータを一時的又は永久に格納可能な機械可読媒体を指し、限定されないが、ランダムアクセスメモリ（ＲＡＭ）、リードオンリメモリ（ＲＯＭ）、バッファメモリ、フラッシュメモリ、及びキャッシュメモリを含むと理解され得る。機械可読媒体７２２は、例示的実施形態において、単一の媒体として示されるが、「機械可読媒体」という用語は、複数の命令を格納可能な、単一の媒体又は複数の媒体（例えば、集中もしくは分散されたデータベース、又は関連付けられた複数のキャッシュ及びサーバ）を含むと理解されるべきである。また、「機械可読媒体」という用語は、機械（例えば機械７００）による実行のための複数の命令（例えばソフトウェア）を格納することが可能な、任意の媒体又は複数の媒体の組み合わせを含み、その結果、複数の命令が機械の１又は複数のプロセッサ（例えばプロセッサ７０２）によって実行されたとき、機械に本明細書に説明された複数の手順の任意の１又は複数を実行させると理解されるものとする。したがって、「機械可読媒体」は、単一の記憶装置又はデバイス、及び複数の記憶装置又はデバイスを含む「クラウドベースの」複数の記憶システム又は記憶ネットワークを指す。従って、「機械可読媒体」という用語は、限定されないが、ソリッドステートメモリ、光媒体、磁気媒体、又はこれらの任意の適した組み合わせの形態における、１又は複数のデータ保存場所を含むと理解されるものとする。
【００６０】
本明細書を通して、複数の例が、単一の例として説明された複数の構成要素、動作、又は構造を実装し得る。１又は複数の方法の個々の動作が、別個の動作として示され説明されたが、個別の複数の動作の１又は複数は同時に実行されてよく、複数の動作が示された順序に実行される必要は全くない。複数の例示的構成に別個の構成要素として提示された複数の構造及び機能は、組み合わせた構造又は構成要素として実装され得る。同様に、単一の構成要素として提示された複数の構造及び機能は、別個の複数の構成要素として実装され得る。これら及び他の複数の変形、変更、追加、及び改善は、本明細書の主題の範囲に含まれる。
【００６１】
特定の複数の実施形態が、ロジックもしくはいくつかの構成要素、モジュール、又はメカニズムを含むとして本明細書に説明される。複数のモジュールは、複数のソフトウェアモジュール（例えば、機械可読媒体に、又は伝送信号に具現化されたコード）又は複数のハードウェアモジュールの何れかを構成し得る。「ハードウェアモジュール」は、特定の複数の動作を実行可能な有形の装置であり、特定の物理的態様で構成され得る、又は配置され得る。様々な例示的実施形態において、１又は複数のコンピュータシステム（例えば、スタンドアロン型コンピュータシステム、クライアントコンピュータシステム、又はサーバコンピュータシステム）、又は、コンピュータシステム（例えば、プロセッサ又は複数のプロセッサの集合）の１又は複数のハードウェアモジュールは、本明細書中に述べたような特定の複数の動作を実行するように動作するハードウェアモジュールとして、ソフトウェア（例えば、アプリケーション、又はアプリケーションの部分）によって構成され得る。
【００６２】
いくつかの実施形態において、ハードウェアモジュールは、機械的に、電子的に、又はこれらの任意の適した組み合わせで実装され得る。例えば、ハードウェアモジュールは、特定の複数の動作を実行するように恒久的に構成される、専用回路又はロジックを含み得る。例えば、ハードウェアモジュールはフィールドプログラマブルゲートアレイ（ＦＰＧＡ）又はＡＳＩＣなどの特殊用途のプロセッサであり得る。また、ハードウェアモジュールは、特定の複数の動作を実行するソフトウェアによって一時的に構成される、プログラマブルロジック又は回路を含み得る。例えば、ハードウェアモジュールは、汎用プロセッサ、又は他のプログラマブルプロセッサ内に包含されたソフトウェアを含み得る。ハードウェアモジュールを機械的に、専用かつ恒久的に構成された回路に、又は一時的に構成された（例えば、ソフトウェアによって構成された）回路に実装する決定は、コストと時間を考慮して行われ得ることが理解されよう。
【００６３】
したがって、「ハードウェアモジュール」という表現は有形のエンティティを包含し、特定の態様で動作する、又は本明細書に説明された特定の動作を実行すべく、物理的に構築された、恒久的に構成された（例えば、ハードウェアに組み込まれ）、又は一時的に構成された（例えば、プログラミングされた）エンティティであることが、理解されるべきである。本明細書において使用されたように、「ハードウェア実装モジュール」は、ハードウェアモジュールを指す。ハードウェアモジュールが一時的に構成された（例えば、プログラミングされた）複数の実施形態を考慮すると、どの時点においても、複数のハードウェアモジュールのそれぞれは構成されなくても、例示されなくてもよい。例えば、ハードウェアモジュールが、特殊用途プロセッサになるべくソフトウェアによって構成された汎用プロセッサを備える場合、汎用プロセッサは、それぞれ異なる複数の特殊用途プロセッサ（例えば、異なる複数のハードウェアモジュールを備える）として、その時々において構成され得る。従って、ソフトウェアは、例えば、ある時点において特定のハードウェアモジュールを構成し、また別の時点において別のハードウェアモジュールを構成するように、プロセッサを構成し得る。
【００６４】
複数のハードウェアモジュールは、他の複数のハードウェアモジュールに情報を提供し、またそれらから情報を受信することが可能である。したがって、説明された複数のハードウェアモジュールは、通信可能に結合されているとみなされ得る。複数のハードウェアモジュールが同時期に存在する場合、通信は、２又はそれより多いハードウェアモジュールの間又はその中で、信号伝送を介して（例えば、適した複数の回路及びバスを通じて）実現され得る。複数のハードウェアモジュールが、その時々において構成された、又は例示された複数の実施形態では、そのような複数のハードウェアモジュール間の通信は、例えば、複数のハードウェアモジュールがアクセスできる複数のメモリ構造内の情報の格納及び読出しを介して実現され得る。例えば、１つのハードウェアモジュールは、動作を実行し、その動作の出力を通信可能に結合されたメモリデバイスに格納し得る。更にハードウェアモジュールは次に、格納された出力を読出して処理すべく、メモリデバイスに後でアクセスし得る。また、複数のハードウェアモジュールは、入力又は出力装置と通信を開始し得て、リソース（例えば、情報の集合）上で動作することが可能である。
【００６５】
本明細書に説明された複数の例示的方法の様々な動作は、複数の関連動作を実行すべく一時的に構成された（例えばソフトウェアによって）、又は恒久的に構成された１又は複数のプロセッサによって、少なくとも部分的に実行され得る。一時的に構成されても、恒久的に構成されても、そのような複数のプロセッサは、本明細書に説明された１又は複数の動作又は機能を実行するように動作する、複数のプロセッサ実装モジュールを構成し得る。本明細書に使用されたように、「プロセッサ実装モジュール」は、１又は複数のプロセッサを用いて実装されたハードウェアモジュールを指す。
【００６６】
同様に、本明細書に説明された複数の方法は、少なくとも部分的にプロセッサ実装されてよく、プロセッサはハードウェアの例である。例えば、方法の複数の動作の少なくともいくつかは、１又は複数のプロセッサ、又はプロセッサ実装モジュールによって実行され得る。更に、１又は複数のプロセッサはまた、「クラウドコンピューティング」環境において、又は「サービス型ソフトウェア（ｓｏｆｔｗａｒｅ  ａｓ  ａ  ｓｅｒｖｉｃｅ）」（ＳａａＳ）として、複数の関連動作の実行をサポートすべく動作し得る。例えば、複数の動作の少なくともいくつかは、これらの動作をネットワーク（例えばインターネット）によって、また１又は複数の適したインタフェース（例えば、アプリケーション・プログラム・インターフェース（ＡＰＩ））によってアクセス可能にして、複数のコンピュータの集合によって（複数のプロセッサを含む複数の機械の複数の例として）実行され得る。
【００６７】
特定の複数の動作の実行は、単一の機械内に存在するだけでなく、いくつかの機械にわたって配置された、１又は複数のプロセッサ中に分散され得る。いくつかの例示的実施形態において、１又は複数の、プロセッサ又はプロセッサ実装モジュールは、単一の地理的位置（例えば、自宅環境内、オフィス環境内、又はサーバファーム内）に配置され得る。他の複数の例示的実施形態において、１又は複数の、プロセッサ又はプロセッサ実装モジュールは、いくつかの地理的位置にわたって分散され得る。
【００６８】
上記の詳細な説明は、詳細な説明の一部を形成する添付の複数の図面への参照を含む。複数の図面は、例示として、本発明が実施されることが可能な特定の複数の実施形態を示す。また、これら実施形態は、「複数の例」として本明細書に参照される。そのような複数の例は、示された又は説明された要素に加えて、複数の要素を含むことが可能である。しかしながら、本発明者らはまた、示された又は説明されたこれらの要素だけが提供された複数の例を意図する。更に、本発明者らはまた、本明細書に示され又は説明された特定の例（又はこれらの１又は複数の態様）に関して、又は、他の複数の例（又はこれらの１又は複数の態様）に関しての何れかで示された又は説明されたそれらの要素（又はこれらの１又は複数の態様）の任意の組み合わせ又は置換を使用した複数の例を意図する。
【００６９】
本明細書において、「ある（ａ）」又は「ある（ａｎ）」という用語は、特許文献において共通なように、１又は１より多いものを含むために用いられ、「少なくとも１つ」又は「１又は複数」の任意の他の複数の例又は使用と無関係である。特段の指示がない限り、本明細書において、「又は」という用語は非排他的、すなわち「Ａ又はＢ」が「ＡがありＢがない」、「ＢがありＡがない」、及び「Ａ及びＢ」を含むように言及するために用いられる。本明細書において、「含む（ｉｎｃｌｕｄｉｎｇ）」及び「そこに（ｉｎ  ｗｈｉｃｈ）」という用語は、それぞれ「含む（ｃｏｍｐｒｉｓｉｎｇ）」及び「そこに（ｗｈｅｒｅｉｎ）」という用語の平易な英語の同義語として用いられる。また、以下の特許請求の範囲において、「含む（ｉｎｃｌｕｄｉｎｇ）」及び「備える（ｃｏｍｐｒｉｓｉｎｇ）」という用語は制約がなく、つまり、列挙された要素に加えて複数の要素を請求項のそのような用語の後に含むシステム、デバイス、物品、構成、製法、又はプロセスが、依然としてその請求項の範囲に含まれるとみなされる。更に、以下の特許請求の範囲において、「第１の」、「第２の」、及び「第３の」などの用語は、複数の標識として用いられるに過ぎず、それらの対象物に数的な複数の要件を課すことが意図されるものではない。
【００７０】
上記の説明は、例示的であることを意図しており、限定的であることを意図していない。例えば、上述の複数の例（又は、これらの１又は複数の態様）は、互いに組み合わせて使用されてよい。他の複数の実施形態が、例えば、上記の説明を検討した当業者によって、使用されることが可能である。要約書は連邦規則法典第３７巻の§１．７２（ｂ）に従って提供され、読者が技術的開示の本質を迅速に確認することを可能にする。これは、特許請求の範囲の意味又は範囲を解釈又は限定するために使用されないという理解に従って提出される。また、上記の詳細な説明において、様々な特徴は、本開示を簡素化すべく、共にグループ化され得る。これは、請求されていない開示された特徴がいずれの請求項に必須であることを意図していると解釈されるべきではない。むしろ、本願発明の主題は、特定の開示された実施形態の全ての特徴の一部にあってよい。したがって、以下の特許請求の範囲は、各々の請求項が別個の実施形態として独立して本明細書によって詳細な説明に組み込まれており、そのような複数の実施形態は、様々な組み合わせ又は置換において互いに組み合わされることが可能であることが意図される。本発明の範囲は、添付の特許請求の範囲を参照して、そのような特許請求の範囲が権利を与える複数の均等物の全範囲と共に、決定されるべきである。
【図１】
0006409871.tif 000002
【図２】
0006409871.tif 000003
【図３】
0006409871.tif 000004
【図４】
0006409871.tif 000005
【図５】
0006409871.tif 000006
【図６】
0006409871.tif 000007
【図７】
0006409871.tif 000008
【図８】
0006409871.tif 000009